(57)【要約】  筐体内部を効率よく冷却することが可能な画像投影装置を提供する。  筐体に設けられ、筐体内部に空気が流入される吸気口と、筐体に設けられ、筐体内部の空気が排出される排気口と、を備え、吸気口から筐体内部へ流入した空気を、筐体の内部に配置された複数の発熱部品のうち、最も高温となる発熱部品を最後に通過させ、排気口から排出する排気流路を有する、画像投影装置が提供される。
2018042816.tif 000002
【特許請求の範囲】
【請求項１】
筐体に設けられ、前記筐体内部に空気が流入される吸気口と、  前記筐体に設けられ、前記筐体内部の空気が排出される排気口と、を備え、  前記吸気口から前記筐体内部へ流入した空気を、前記筐体の内部に配置された複数の発熱部品のうち、最も高温となる前記発熱部品を最後に通過させ、前記排気口から排出する排気流路を有する、画像投影装置。
【請求項２】
前記吸気口は、画像の投射面と対向する前記筐体の背面に設けられる、請求項１に記載の画像投影装置。
【請求項３】
前記筐体は、前面と背面とが対向する奥行き方向の長さに対して、側面が対向する横幅方向の長さが大きい形状を有し、  前記吸気口と前記排気口は、前記筐体の奥行き方向に略平行な同一直線上に配置される、請求項１に記載の画像投影装置。
【請求項４】
前記筐体の前記背面に前記吸気口が設けられ、前記筐体の前面に前記排気口が設けられる、請求項３に記載の画像投影装置。
【請求項５】
前記排気口は１つである、請求項１に記載の画像投影装置。
【請求項６】
前記排気口には、筐体内部の空気を外部に排出させる排気ファンが１つ設けられる、請求項１に記載の画像投影装置。
【請求項７】
最も高温となる前記発熱部品は、発光ダイオードまたは半導体レーザを備える光源部である、請求項１に記載の画像投影装置。
【請求項８】
前記筐体の内部には、最も高温となる前記発熱部品に空気を導く補助ファンが設けられている、請求項１に記載の画像投影装置。
【請求項９】
最も高温となる前記発熱部品には、ヒートシンクが設けられ、  前記ヒートシンクを介して前記排気口から空気が排出される、請求項１に記載の画像投影装置。
【請求項１０】
前記筐体の内部には、光源部及び画像を投射面に投射する投射部が前面側に設けられ、偏光変換素子部及び液晶表示素子部が背面側に設けられる、請求項１に記載の画像投影装置。
【請求項１１】
画像を投射面に投影する投射部に短焦点レンズを有する短焦点プロジェクターである、請求項１に記載の画像投影装置。
【発明の詳細な説明】
【技術分野】
【０００１】  本開示は、画像を投射面に投影する画像投影装置に関する。
【背景技術】
【０００２】  画像を投射面に投影する画像投影装置について、近年、投射面の至近距離から画像を投影可能な短焦点プロジェクターが提案されている。短焦点プロジェクターは、通常のプロジェクターよりも短い距離で画像を投影できるため、投射面に近い限られたスペースに設置可能であり、投射画像に人の影が映り込むこともない。短焦点プロジェクターは、その外形が横長の直方体状であることが多く、画像を投射面に投影する投射レンズは横幅中央部に配置されることが多い。【０００３】  画像投影装置の筐体内部は、光源をはじめとした光学系部品の発熱により高温となる。筐体内部が高温となると構成部品の性能低下や寿命の短縮につながるため、冷却ファン等を用いて筐体内部は冷却されている。例えば特許文献１には、装置内部の各部分を効率よく冷却するため、冷却用空気の取入口から内部に取り入れられた空気が、光学ユニット、光源ランプユニット及び電源ユニットを通過して排出口から排出される流路が形成された投射型表示装置が開示されている。
【先行技術文献】
【特許文献】
【０００４】
【特許文献１】特開２０００−３３０２０２号公報
【発明の概要】
【発明が解決しようとする課題】
【０００５】  ここで、短焦点プロジェクターは、壁等の投射面に近接して配置される。このため、筐体内部を通過した冷却用空気の排出口を投射面に対向する背面に設置すると、温まった空気が筐体背面と投影面との間に滞留してしまい、効率よく排出されない。また、筐体側面についても、壁やスピーカ等が当該画像投影装置に近接して配置されることがあり、側面からの排気は、壁等により効率が阻害される可能性がある。一方で、ユーザの対向する筐体前面側に排気口を設けると、ユーザの視界に入りやすく、デザインの観点からはなるべく目立たないことが望ましい。【０００６】  そこで、本開示では、筐体内部を効率よく冷却することが可能な、新規かつ改良された画像投影装置を提案する。
【課題を解決するための手段】
【０００７】  本開示によれば、筐体に設けられ、筐体内部に空気が流入される吸気口と、筐体に設けられ、筐体内部の空気が排出される排気口と、を備え、吸気口から筐体内部へ流入した空気を、筐体の内部に配置された複数の発熱部品のうち、最も高温となる発熱部品を最後に通過させ、排気口から排出する排気流路を有する、画像投影装置が提供される。
【発明の効果】
【０００８】  以上説明したように本開示によれば、筐体内部を効率よく冷却することが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００９】
【図１】本開示の一実施形態に係る画像投影装置の一使用例を示す説明図である。
【図２】同実施形態に係る画像投影装置の内部構成を示す概略平面図である。
【図３】同実施形態に係る画像投影装置の冷却構造を示す概略平面図である。
【図４】同実施形態に係る画像投影装置の冷却構造を示す概略斜視図である。
【発明を実施するための形態】
【００１０】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】  なお、説明は以下の順序で行うものとする。  １．装置構成  ２．光学系部品の冷却構造    ２．１．排気流路    ２．２．ファンの配置    ２．３．ヒートシンク  ３．まとめ
【００１２】  ＜１．装置構成＞  まず、図１及び図２に基づいて、本開示の一実施形態に係る画像投影装置の構成を説明する。図１は、本実施形態に係る画像投影装置１００の一使用例を示す説明図である。図２は、本実施形態に係る画像投影装置１００の内部構成を示す概略平面図である。
【００１３】  本実施形態に係る画像投影装置１００は、例えば投射面に対して画像を至近距離から投射可能な短焦点プロジェクターである。かかる画像投影装置１００は、図１に示すように、画像の投射面として使用される壁面Ｗに近接して設置することが可能である。このため、画像投影装置１００を空間内に効率よく設置することができ、画像投影装置１００と壁面Ｗとの間に人の動線もないため、投射画像に人の影が映り込むことがない。
【００１４】  本実施形態に係る画像投影装置１００は、図１及び図２に示すように、略直方体形状の外形を有し、前面１０２ａと背面１０３ｂとが対向する奥行き方向（Ｙ方向）の長さに対して側面１０２ｃ、１０２ｄが対向する横幅方向（Ｘ方向）の長さが大きくなっている。このような筐体１０２内に、画像投影装置１００は、光源部１１０と、蛍光体ホイール部１２０と、偏光変換素子部１３０と、液晶表示素子部１４０と、投射部１５０と、電源部１６０とを含む。筐体１０２の内部は、仕切壁１０２ｅによって横幅方向に２つの空間１０５ａ、１０５ｂが形成されている。第１の空間１０５ａには、光源部１１０、蛍光体ホイール部１２０、偏光変換素子部１３０、液晶表示素子部１４０、及び、投射部１５０を含む光学系部品が配置されている。第２の空間１０５ｂには、電源部１６０が配置されている。
【００１５】  かかる画像投影装置１００は、例えば３ＬＣＤ（Liquid CrystalDisplay）方式のプロジェクターである。３ＬＣＤ方式のプロジェクターでは、光源部１１０から出射された光から赤、緑、青の三原色の光を生成し、液晶表示素子部１４０の３つのＬＣＤをそれぞれ透過させることで、投射面に投射する画像を生成する。
【００１６】  光源部１１０は、画像の元となる光を発する光源を生成する。本実施形態に係る光源部１１０は固体光源であり、例えば発光ダイオード（light  emitting  diode；ＬＥＤ）または半導体レーザ（laser  diode；ＬＤ）であってもよい。例えば、半導体レーザを用いたレーザ光源は、長寿命かつ低消費電力であり、高輝度である。例えば、光源部１１０は、青色波長域の光を出射する青色レーザダイオードとする。光源部１１０から出射されたレーザ光は、蛍光体ホイール部１２０へ出射される。
【００１７】  蛍光体ホイール部１２０は、円板状の基材に蛍光体が積層された蛍光体ホイールが配置されており、光源部１１０から出射されたレーザ光を、異なる波長域の光に変換する。蛍光体ホイール部１２０は、円板状の基材に蛍光体が積層された蛍光体ホイールを備える。蛍光体は、蛍光体に入射したレーザ光を励起し、異なる波長の光を出射する。例えば、蛍光体ホイール部１２０は、蛍光体として、蛍光体青色レーザダイオードから出射された青色レーザ光により励起され、緑色波長域の光と赤色波長域の光とを含んでなる黄色波長域の光を出射する黄色蛍光体を有する。蛍光体ホイール部１２０は、光源部１１０からの入射光を基に、赤色光、緑色光、青色光を生成し、偏光変換素子部１３０へこれらの光を出射する。
【００１８】  偏光変換素子部１３０は、蛍光体ホイール部１２０から入射された赤色光、緑色光、青色光の偏光方向を、それぞれ所定の偏光方向に揃える偏光変換素子を含む。蛍光体ホイール部１２０から入射された光は、様々な方向の波を含む。ここで、例えばＨＴＰＳ（High  Temperature  Poly-Silicon）のように液晶表示素子が所定の偏光方向の光のみを透過させる特性を有する場合、液晶表示素子を透過できない光があるとその分だけ画像は暗くなる。そこで、偏光変換素子部１３０では、液晶表示素子部１４０に入射する光の偏光方向を横波から縦波に変換し、液晶表示素子を透過可能な光とすることで、投射部１５０から投射される画像を明るくすることができる。偏光変換素子部１３０により所定の偏光方向に揃えられた光は、液晶表示素子部１４０に出射される。
【００１９】  液晶表示素子部１４０は、赤色用液晶パネル、緑色用液晶パネル及び青色用液晶パネルと、各液晶パネルにより生成された画像の信号光を合成する光学部材とを含み、投射部１５０から投射する画像信号光を生成する。赤色用液晶パネル、緑色用液晶パネル及び青色用液晶パネルは、例えばＨＴＰＳ等の、アクティブマトリクス駆動方式の透過型ＬＣＤであってもよい。各色用の液晶パネルは、入力画像信号に応じてそれぞれに入射した光を変調し、ＲＧＢに対応する画像の信号光を生成する。各液晶パネルにより変調された信号光は、ダイクロイックプリズムに入射され、合成される。ダイクロイックプリズムは、赤色の信号光および青色の信号光を反射し、緑色の信号光を透過させるように、４つの三角柱を組み合わせた直方体に形成されている。ダイクロイックプリズムにより合成された画像信号光は投射部１５０へ入射される。
【００２０】  投射部１５０は、液晶表示素子部１４０により生成された画像信号光を投射面へ投射する。本実施形態に係る投射部１５０は、投射レンズとして、画像投影装置１００から投射面までの投射距離の短い短焦点投射レンズを備える。短焦点投射レンズを用いることで、短い距離で大きな画面サイズを投射することができる。
【００２１】  電源部１６０は、入力電力から画像投影装置１００を駆動するための電力を生成する電源回路を含む。電源部１６０により各構成部品に電力が供給される。
【００２２】  本実施形態に係る画像投影装置１００では、図２に示すように、第１の空間１０５ａに配置されている光学系部品は、ユーザと対向する前面１０２ａ側に光源部１１０及び投射部１５０が配置されている。また、光源部１１０から背面１０２ｂ側に向かって蛍光体ホイール部１２０、偏光変換素子部１３０が配置され、偏光変換素子部１３０と横幅方向に隣接して液晶表示素子部１４０が配置されている。すなわち、光学系部品は、光源部１１０、蛍光体ホイール部１２０、偏光変換素子部１３０、液晶表示素子部１４０、及び、投射部１５０がＵ字状に配置されている。
【００２３】  また、光学系部品の冷却のため、筐体１０２の背面１０２ｂには例えば２つの吸気口１０４ａ、１０４ｂが設けられ、前面１０２ａには１つの排気口１０６が設けられている。また、第１の空間１０５ａには、偏光変換素子部１３０を冷却する冷却ファン１７１、液晶表示素子部１４０を冷却する冷却ファン１７３、筐体１０２内部の空気を排気口１０６から排出させるための排気ファン１７５が設けられている。光学系部品の冷却構造についての詳細な説明な後述する。なお、本実施形態では、２つの吸気口１０４ａ、１０４ｂと１つの排気口１０６を設けたが、本開示はかかる例に限定されず、これらの数は限定されるものではない。なお、吸気口及び排気口の開口面積は大きい方が冷却効率を高めることができるが、耐塵性及び耐強度が低下し、また、ユーザに見えやすい前面１０２ａに大きな開口が形成されているとデザイン性も低下する。このため、開口面積はなるべく小さくするのが望ましい。
【００２４】  ＜２．光学系部品の冷却構造＞  通常、画像投影装置は、装置内部の温度が許容値を超えて高温とならないように、吸気口から外気を取り入れて筐体内部を冷却し、温まった空気を排気口から排出する冷却構造を有している。一般に、排気口はユーザから見えにくい背面側に設けられる。しかし、短焦点プロジェクターである本実施形態の画像投影装置１００は、壁面Ｗに近接して配置されるため、吸気口１０４ａ、１０４ｂを背面１０２ｂに設けると、温まった空気が背面１０２ｂと壁面Ｗとの間に滞留してしまい、効率よく排出できない。また、画像投影装置１００の側面１０２ｃ、１０２ｄ側にも壁面Ｗあるいは家具、スピーカ等の物体が配置されることもあり、側面１０２ｃ、１０２ｄに排気口を設けたとしても温まった空気の排出が阻害される可能性もある。さらに、上述したように、ユーザに見えやすい前面１０２ａに排気口を設けるとデザイン性が低下する。
【００２５】  そこで、本実施形態に係る画像投影装置１００に、デザイン性を損なうことなく筐体内部を効率よく冷却する冷却構造を形成した。特に、画像投影装置１００において熱源となる様々な光学系部品が配置された第１の空間１０５ａにおいては、当該冷却構造は有効である。以下、図３及び図４に基づき、本実施形態に係る画像投影装置１００の冷却構造を説明する。図３は、本実施形態に係る画像投影装置１００の冷却構造を示す概略平面図である。図４は、本実施形態に係る画像投影装置１００の冷却構造を示す概略斜視図である。なお、図３及び図４、前述の図２においては、第１の空間１０５ａの冷却構造のみを示しており、電源部１６０が配置された第２の空間１０５ｂの冷却構造は記載していないが、第２の空間１０５ｂにも吸気口、排気口及び冷却ファンが設けられている。
【００２６】  ［２．１．排気流路］  本実施形態に係る画像投影装置１００の光学系部品の冷却は、図３及び図４に示すように、筐体１０２の背面１０２ｂから前面１０２ａへ向かって行われる。背面１０２ｂに形成された２つの吸気口１０４ａ、１０４ｂから取り込まれた空気は、第１の空間１０５ａを通過して光学系部品の熱を吸収し、前面１０２ａの排気口１０６から排出される。ここで、第１の空間１０５ａを冷却するために吸気口１０４ａ、１０４ｂから取り込まれた空気は、図３及び図４に示すように、２つの排気流路Ａ、Ｂを通り、排気口１０６から排出される。
【００２７】  排気流路Ａは、吸気口１０４ａから筐体１０２内部に取り込まれた空気を、偏光変換素子部１３０、蛍光体ホイール部１２０を通過させ、光源部１１０を通って排気口１０６から排出させる。また、排気流路Ｂは、吸気口１０４ｂから筐体１０２内部に取り込まれた空気を、液晶表示素子部１４０を通過させ、光源部１１０を通って排気口１０６から排出させる。いずれの排気流路でも、最終的には光源部１１０を通って排気口１０６から温まった空気を排出させている。これは、画像投影装置１００の光学系部品で発熱する発熱部品のうち、光源部１１０からの発熱量が最も大きいことによる。また、本実施形態に係る画像投影装置１００では、光源部１１０にレーザ光源を備えている。レーザ光源は、従来のハロゲンランプ、キセノンランプ、メタルハライドランプあるいは超高圧水銀ランプ等のランプ光源に比べて局所的に高温となりやすいため、各排気流路の最後に光源部１１０を設けることで、光源部１１０の冷却効率を高めることができる。
【００２８】  光学系部品の冷却は、吸気口１０４ａ、１０４ｂから外気を冷却媒体として取り入れ、第１の空間１０５ａを通過させながら各部品の有する熱を吸収させて行われる。ここで、排気流路において吸気口１０４ａ、１０４ｂ側を上流側、排気口１０６側を下流側とすると、吸気口１０４ａ、１０４ｂから筐体内部に取り込まれた空気は、排気経路の上流から下流に向かうにつれて温度が上昇する。したがって、第１の空間１０５ａにおける光学系部品の配置位置に応じて、部品を冷却する空気の温度が異なる。また、光学系部品毎に発熱量も異なる。そこで、吸気口１０４ａ、１０４ｂから筐体１０２の内部に取り込まれた空気が低温の部品から高温の部品へと流れる排気流路を形成することで、効率よく各光学系部品を冷却することができる。
【００２９】  本実施形態に係る画像投影装置１００では、光源部１１０、蛍光体ホイール部１２０、偏光変換素子部１３０、及び、液晶表示素子部１４０が主な発熱部品である。このうち、光源部１１０が最も高温となる。また、液晶表示素子部１４０の発熱量は小さく、偏光変換素子部１３０、蛍光体ホイール部１２０の順に発熱量は大きくなる。ここで、図３に示すように、発熱量の小さい偏光変換素子部１３０及び液晶表示素子部１４０は背面１０２ｂ側に配置されており、発熱量の大きい光源部１１０は前面１０２ａ側に配置されている。そこで、筐体１０２の背面１０２ｂに吸気口１０４ａ、１０４ｂを設け、前面１０２ａのうち最も高温となる光源部１１０と対向する位置に排気口１０６を設けることで、空気が低温の部品から高温の部品へと流れる排気流路Ａ、Ｂが形成される。なお、発熱部品の温度は、例えば定格運転時における温度により特定してしてもよい。
【００３０】  本実施形態では、発熱量の小さい偏光変換素子部１３０と液晶表示素子部１４０とに対して、それぞれ吸気口１０４ａ、１０４ｂを設けることで、偏光変換素子部１３０と液晶表示素子部１４０とを最初に冷却することができる。そして、排気流路Ａでは、偏光変換素子部１３０を冷却した空気は、偏光変換素子部１３０より高温となる蛍光体ホイール部１２０を冷却し、最後に光源部１１０を冷却する。一方、排気流路Ｂでは、液晶表示素子部１４０を冷却した空気は、光源部１１０と投射部１５０との間の空間を通って、最後に光源部１１０を冷却する。こうして、冷却対象の構成部品よりも低温の空気で各部品を冷却することができる。
【００３１】  このことは、各光学系部品の温度スペックの観点からもいえる。例えば、光源部１１０の許容温度は約７０℃くらいであるが、これに対して液晶表示素子部１４０の許容温度は約５０℃くらいである。したがって、各部品にあたるときの空気の温度が、光源部１１０にとっては問題のない温度であっても、液晶表示素子部１４０にとってはかなりの高温となる可能性もある。そこで、各光学系部品の機能を維持し、想定される寿命まで使用できるようにするためにも、許容温度の低い部品から順に冷却することが望ましい。
【００３２】  また、２つの排気流路Ａ、Ｂは、図３に示すように、筐体１０２の短辺となる側面１０２ｃ、１０２ｄと略平行な、すなわち奥行き方向（Ｙ方向）に沿った流れとなっている。このような排気流路Ａ、Ｂを形成することで、冷却媒体である空気が第１の空間１０５ａ内を通り抜ける距離が短くなり、第１の空間１０５ａ内を流れる間に温まった空気が第１の空間１０５ａ内に長く滞留しないようにすることができる。これにより、筐体１０２の内部空間が温まりにくくすることができる。
【００３３】  さらに、吸気口１０４ａ、１０４ｂ及び排気口１０６の配置について、排気流路の構成上、背面１０２ｂに吸気口１０４ａ、１０４ｂを設け、前面１０２ａに排気口１０６を設けたが、デザイン上の観点からもこれらの配置は有効である。すなわち、背面１０２ｂまたは側面１０２ｃ、１０２ｄに排気口を設けないようにすることで、画像投影装置１００の背面１０２ｂまたは側面１０２ｃ、１０２ｄが壁面Ｗと近接された場合にも、前面１０２ａから温まった空気を排気させることができる。この際、排気流路Ａ、Ｂの排出先を前面１０２ａの排気口１０６の１箇所に集約したことにより、前面１０２ａの開口面積を小さくすることができ、見た目も良好となる。
【００３４】  ［２．２．ファンの配置］  本実施形態に係る画像投影装置１００には、光学系部品を冷却するための冷却ファンが設置されている。具体的には、偏光変換素子部１３０を冷却する冷却ファン１７１、液晶表示素子部１４０を冷却する冷却ファン１７３が設けられている。なお、図２及び図３において、冷却ファン１７３は、１つのみ記載したが、液晶表示素子部１４０に設けられている３つの液晶パネルそれぞれに対して冷却ファンを設けてもよい。また、筐体内部の空気を排気口１０６から排出させるための排気ファン１７５が設けられている。
【００３５】  偏光変換素子部１３０及び液晶表示素子部１４０を冷却する冷却ファン１７１、１７３には、例えばシロッコファンを用いてもよい。シロッコファンは、各部品に対して高い圧力で強い送風を行うことができるので、局所的な冷却に適している。一方、排気ファン１７５には、例えば軸流ファンを用いてもよい。軸流ファンは、送風は弱いが、多くの風を送ることができるので、排気に適している。
【００３６】  排気ファン１７５により第１の空間１０５ａ内の空気が外部へ排出されると、その分の空気が背面１０２ｂ側の吸気口１０４ａ、１０４ｂから取り込まれる。吸気口１０４ａ、１０４ｂから取り込まれた空気は、排気ファン１７５により吸引され、排気流路Ａ、Ｂに沿って第１の空間１０５ａを通り、排気口１０６から排出される。また、排気経路Ｂにおいては、液晶表示素子部１４０を冷却した空気は、光源部１１０と投射部１５０との間に形成された空間を通り光源部１１０に向かう。この際、液晶表示素子部１４０を通過した空気が確実に光源部１１０に導かれるように、例えば図３及び図４に示すように、光源部１１０と投射部１５０との間に形成された空間に補助ファン１７７を配置してもよい。補助ファン１７７は、例えば軸流ファンを用いてもよい。これにより、液晶表示素子部１４０を通過した空気を確実に光源部１１０に導くことができ、明確な排気経路Ｂを形成することができる。
【００３７】  ［２．３．ヒートシンク］  光学系部品の放熱を効率よく行うため、第１の空間には適宜ヒートシンクを設けてもよい。例えば、図４に示すように、高温となる光源部１１０にヒートシンク１１５を設けてもよい。ヒートシンク１１５は、例えば光源部１１０の上面、前面及び側面に設けてもよい。本実施形態に係る画像投影装置１００の冷却構造では、冷却媒体である空気は、光学系部品のうち最も高温となる光源部１１０に最終的に流れ込み、ヒートシンク１１５を通過して、排気口１０６から筐体１０２外部へ排出される。このような光源部１１０にヒートシンク１１５を設けることにより、効果的に光源部１１０を冷却することができる。
【００３８】  ＜３．まとめ＞  以上、本開示の一実施形態に係る画像投影装置１００と当該画像投影装置１００に形成される冷却構造とについて説明した。本開示によれば、吸気口１０４ａ、１０４ｂ及び排気口１０６を画像投影装置１００の筐体１０２に設け、吸気口１０４ａ、１０４ｂから筐体１０２内部へ流入した空気を、光学系部品の発熱部品のうち最も高温となる光源部１１０を最後に通過させ、排気口１０６から排出させる。このような排気流路を構成することで、光学系部品を効率よく冷却することが可能となる。
【００３９】  また、筐体１０２の背面１０２ｂに吸気口１０４ａ、１０４ｂを設け、前面１０２ａに排気口１０６を設けることで、筐体１０２の内部の排気を阻害することがない。また、前面１０２ａの排気口１０６は１つのみとすることで、ユーザに大きな開口を見せることがなく、デザイン性を損なうこともない。さらに、筐体１０２の短辺となる側面１０２ｃ、１０２ｄと略平行な排気流路を形成することで、冷却媒体である空気が光学系部品の配置された空間内に長く滞留しないようにすることができ、筐体１０２の内部空間を温まりにくくすることができる。
【００４０】  以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４１】  例えば、上記実施形態では、光源部の光源は発光ダイオードまたは半導体レーザとしたが、本技術はかかる例に限定されない。例えば、従来使用されているランプ光源を光源として用いる場合であっても本技術は有効である。
【００４２】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００４３】  なお、以下のような構成も本開示の技術的範囲に属する。（１）  筐体に設けられ、前記筐体内部に空気が流入される吸気口と、  前記筐体に設けられ、前記筐体内部の空気が排出される排気口と、を備え、  前記吸気口から前記筐体内部へ流入した空気を、前記筐体の内部に配置された複数の発熱部品のうち、最も高温となる前記発熱部品を最後に通過させ、前記排気口から排出する排気流路を有する、画像投影装置。（２）  前記吸気口は、画像の投射面と対向する前記筐体の背面に設けられる、前記（１）に記載の画像投影装置。（３）  前記筐体は、前面と背面とが対向する奥行き方向の長さに対して、側面が対向する横幅方向の長さが大きい形状を有し、  前記吸気口と前記排気口は、前記筐体の奥行き方向に略平行な同一直線上に配置される、前記（１）または（２）に記載の画像投影装置。（４）  前記筐体の前記背面に前記吸気口が設けられ、前記筐体の前面に前記排気口が設けられる、前記（３）に記載の画像投影装置。（５）  前記排気口は１つである、前記（１）〜（４）のいずれか１項に記載の画像投影装置。（６）  前記排気口には、筐体内部の空気を外部に排出させる排気ファンが１つ設けられる、前記（１）〜（５）のいずれか１項に記載の画像投影装置。（７）  最も高温となる前記発熱部品は、発光ダイオードまたは半導体レーザを備える光源部である、前記（１）〜（６）のいずれか１項に記載の画像投影装置。（８）  前記筐体の内部には、最も高温となる前記発熱部品に空気を導く補助ファンが設けられている、前記（１）〜（７）のいずれか１項に記載の画像投影装置。（９）  最も高温となる前記発熱部品には、ヒートシンクが設けられ、  前記ヒートシンクを介して前記排気口から空気が排出される、前記（１）〜（８）のいずれか１項に記載の画像投影装置。（１０）  前記筐体の内部には、光源部及び画像を投射面に投射する投射部が前面側に設けられ、偏光変換素子部及び液晶表示素子部が背面側に設けられる、前記（１）〜（９）のいずれか１項に記載の画像投影装置。（１１）  画像を投射面に投影する投射部に短焦点レンズを有する短焦点プロジェクターである、前記（１）〜（１０）のいずれか１項に記載の画像投影装置。
【符号の説明】
【００４４】  １００              画像投影装置  １０２              筐体  １０２ａ            前面  １０２ｂ            背面  １０２ｃ、１０２ｄ  側面  １０２ｅ            仕切壁  １０３              筐体  １０３ｂ            背面  １０４ａ、１０４ｂ  吸気口  １０５ａ            第１の空間  １０５ｂ            第２の空間  １０６              排気口  １１０              光源部  １１５              ヒートシンク  １２０              蛍光体ホイール部  １３０              偏光変換素子部  １４０              液晶表示素子部  １５０              投射部  １６０              電源部  １７１、１７３      冷却ファン  １７５              排気ファン  １７７              補助ファン
【図１】
2018042816.tif 000003
【図２】
2018042816.tif 000004
【図３】
2018042816.tif 000005
【図４】
2018042816.tif 000006
【国際調査報告】
2018042816.tif 000007
2018042816.tif 000008
2018042816.tif 000009
2018042816.tif 000010